(57)【特許請求の範囲】
【請求項１】
紙類または耐熱性の高い樹脂フィルム、プラスチック類もしくは布類からなる基材上にインクを用いて所定の模様の印刷層を形成する工程と、
前記印刷層が乾燥する前に樹脂粉末を前記基材上に振り掛ける工程と、
前記印刷層上以外にある前記樹脂粉末を除去する工程と、
前記印刷層上に付着した前記樹脂粉末を加熱して樹脂層を形成する工程と、
前記樹脂層を冷却する工程とを含む印刷物の製造方法であって、
前記印刷層の模様は皮革柄であり、
前記印刷層及び前記樹脂層は透明であって前記基材は有色（黒及び白も含む）であり、且つ前記基材、前記印刷層及び前記樹脂層の複層部の明度は前記基材の明度よりも低いことを特徴とする印刷物の製造方法。
【請求項２】
前記樹脂層の厚みは０．０１ｍｍ〜０．１ｍｍであることを特徴とする請求項１に記載の印刷物の製造方法。
【請求項３】
紙類または耐熱性の高い樹脂フィルム、プラスチック類もしくは布類からなる基材上にインクを用いて所定の模様の印刷層を形成する印刷層形成工程と、
この印刷層形成工程にて形成される印刷層が乾燥状態になる前に樹脂粉末を上記基材上に振り掛ける樹脂粉末振掛け工程と、
この樹脂粉末振掛け工程にて振掛けられた上記基材上の印刷層外に存する上記樹脂粉末を除去する樹脂粉末除去工程と、
上記印刷層に振掛けられた上記樹脂粉末を加熱することにより樹脂層を形成する樹脂層形成工程と、
この樹脂層形成工程にて形成された樹脂層を冷却する冷却工程と、
この冷却工程にて形成された樹脂層を含む上記基材一面に透明性を有する熱可塑性樹脂にてコーティングするコーティング工程とからなる印刷物の製造方法であって、
上記印刷層の模様は皮革柄であり、
上記印刷層及び上記樹脂層は透明であって上記基材は有色（黒及び白も含む）であり、且つ上記基材、上記印刷層及び上記樹脂層の複層部の明度は上記基材の明度よりも低いことを特徴とする印刷物の製造方法。
【請求項４】
上記樹脂層は０．０１ｍｍ〜０．１ｍｍの厚みであることを特徴とする請求項３記載の印刷物の製造方法。
【請求項５】
紙類または耐熱性の高い樹脂フィルム、プラスチック類もしくは布類からなる基材上にインクを用いて所定の模様の印刷層を形成する印刷層形成機構部と、
この印刷層形成機構部にて形成される印刷層が乾燥状態になる前に樹脂粉末を上記基材上に振り掛ける樹脂粉末振掛け機構部と、
この樹脂粉末振掛け機構部にて振掛けられた上記基材上の印刷層外に存する上記樹脂粉末を除去する樹脂粉末除去機構部と、
上記印刷層に振掛けられた上記樹脂粉末を加熱することにより樹脂層を形成する樹脂層形成機構部と、
この樹脂層形成機構部にて形成された樹脂層を冷却する冷却機構部とからなる印刷物製造装置であって、
上記印刷層の模様は皮革柄であり、
上記印刷層及び上記樹脂層は透明であって上記基材は有色（黒及び白も含む）であるようにし、且つ上記基材、上記印刷層及び上記樹脂層の複層部の明度は上記基材の明度よりも低くなるようにしたことを特徴とする印刷物製造装置。
【請求項６】
上記冷却機構部にて形成された樹脂層を含む上記基材一面に透明性を有する熱可塑性樹脂にてコーティングするコーティング機構部を設けたことを特徴とする請求項５記載の印刷物製造装置。
【請求項７】
上記樹脂層は０．０１ｍｍ〜０．１ｍｍの厚みであることを特徴とする請求項５記載または請求項６に記載の印刷物製造装置。
【発明の詳細な説明】
【技術分野】
【０００１】
本発明は、印刷面があたかも皮革または印傳革のように見える印刷物の製造方法、印刷物製造装置及びその印刷物に関する。
【背景技術】
【０００２】
従来、印刷物の分野では印刷物に特殊な意匠を施す様々な印刷方法が存在する。その一つに印刷した文字や絵柄が浮き出しているように見せる隆起印刷方法がある。このような隆起印刷方法としては、一般的にバーコ印刷と呼ばれる方法が知られている。
バーコ印刷とは、文字や図柄が印刷された、若しくはその上にニスを重ね塗りした印刷物の表面に熱可塑性樹脂または熱発泡性樹脂からなる樹脂粉末を振り掛け、基材上の文字や図柄以外の部分にある樹脂粉末を除去し、その後これを加熱及び冷却することにより、所望の文字や図柄が浮き出しているように見せる印刷方法である。
【０００３】
例えば特許文献１には、樹脂粉末にラメの粉を混ぜて印刷物の表面に振り掛けることにより、隆起部にラメの粉が一部埋設状態で固着することによりその輝きが増すと共に、ラメの粉が印刷物から落ち難い隆起印刷方法が開示されている。
【０００４】
また特許文献２には、基材にインキ滴を噴射してインキ画像を形成し、このインキ画像が未乾燥のうちに基材上に樹脂粉末を堆積させることにより、多種の固定情報を少量ずつ隆起させる隆起印刷方法が開示されている。
【０００５】
なお、印刷方法ではないが、紙類に特殊な加工を施す方法として、例えば和紙を複数枚のりで貼り合わせてその表面に塗装加工と型付け仕上げを行う擬革紙の製造方法が挙げられる。これは紙類そのものを革のように見せるための、紙類の製造方法に関する。
【先行技術文献】
【特許文献】
【０００６】
【特許文献１】特開２００２−３４７３２７号公報
【特許文献２】特開２００４−１４２２７７号公報
【発明の概要】
【発明が解決しようとする課題】
【０００７】
近時、複雑な仕掛けを用いることなく、バーコ印刷を用いて印刷面があたかも皮革や印傳革のように模した紙類による印刷物の出現が求められるようになってきた。
上述のように、擬革紙は塗装加工及び仕上げ加工といった特殊な加工工程を経て製造される特殊な紙類であり、その製造には多くの手間と技術を要するものである。また、原材料費も非常に高くなる傾向にあり、高級感を醸し出すために室内や家具の装飾、書籍の表紙等平面的に用いるには良いが、折り曲げ難く種々の物品への応用的な使用には不向きで、実用的な普及は難しいものである。
特許文献１に記載の隆起印刷方法にあっては、ラメの粉が落ちないようにした光輝性のある隆起印刷物の製造方法に過ぎないものであり、印刷面をあたかも皮革や印傳革のように模すような技術は開示されておらず、示唆もされてない。
特許文献２に記載の隆起印刷方法にあっては、インクジェット方式による多色刷りの隆起印刷を開示したものに過ぎないものであり、特許文献１と同様に印刷面をあたかも皮革や印傳革のように模すような技術は開示されておらず、示唆もされてない。
【０００８】
そこで本発明は、上述不具合を解消し、特殊な紙類や基材を用いることなく、隆起印刷を利用して紙類またはこれと同等の素材からなる基材と印刷層と樹脂層との色を特定の組合せとすることで、印刷面があたかも皮革や印傳革（以下、「印傳」という。）のように見える印刷物を簡単に製造することのできる印刷物の製造方法、印刷物製造装置及びその印刷物を提供することをその目的とする。
また、本発明は、コスト面での優位性を確保でき実用的且つ経済的な印刷物の製造方法、印刷物製造装置及びその印刷物を提供することを目的とする。
さらに、本発明は、取扱い性に優れて利用範囲の広い印刷物の製造方法、印刷物製造装置及びその印刷物を提供することを目的とする。
【課題を解決するための手段】
【０００９】
上記目的を達成するために、本発明は以下の構成であることをその特徴とする。
【００１０】
（１）  本発明の印刷物の製造方法は、紙類またはこれと同等の素材からなる基材上にインクを用いて所定の模様にて印刷層を形成する工程と、上記印刷層が乾燥する前に樹脂粉末を前記基材上に振り掛ける工程と、前記印刷層以外にある前記樹脂粉末を除去する工程と、上記印刷層上に付着した上記樹脂粉末を加熱して樹脂層を形成する工程と、上記樹脂層を冷却する工程とを含む印刷物の製造方法であって、上記基材、上記印刷層及び上記樹脂層が、
（ａ）上記印刷層及び上記樹脂層は透明であって上記基材は有色（黒及び白を含む）である、
（ｂ）上記樹脂層は透明であって上記基材及び上記印刷層は有色（黒及び白を含む）である、または
（ｃ）上記印刷層は透明であって上記基材及び上記樹脂層は有色（黒及び白も含む）であることをその特徴とする。
【００１１】
（２）  上記（１）の構成にあって、上記樹脂層の厚みは０．０１〜０．１ｍｍとなるよう構成されることをその特徴とする。
【００１２】
（３）  上記（１）または（２）の構成にあって、上記印刷層及び上記樹脂層は透明であって上記基材は有色（黒及び白も含む）であり、且つ上記基材、上記印刷層及び上記樹脂層の複層部の明度は上記基材の明度よりも低くなるよう構成されることをその特徴とする。
【００１３】
（４）  上記（１）、（２）または（３）の構成にあって、上記印刷層の模様は皮革柄または印傳柄となるよう構成されることをその特徴とする。
【００１４】
（５）本発明の印刷物は、紙類またはこれと同等の素材からなる基材と、インクを用いて所定の模様にて形成される印刷層と、上記印刷層上に樹脂粉末を付着及び加熱して形成される樹脂層とからなり、上記基材、上記印刷層及び上記樹脂層が、
（ａ）上記印刷層及び上記樹脂層は透明であって上記基材は有色（黒及び白も含む）である、
（ｂ）上記樹脂層は透明であって上記基材及び上記印刷層は有色（白及び黒も含む）である、または
（ｃ）上記印刷層は透明であって上記基材及び上記樹脂層は有色（黒及び白も含む）であることをその特徴とする。
【００１５】
（６）  紙類またはこれと同等の素材からなる基材上にインクを用いて所定の模様の印刷層を形成する印刷層形成工程と、この印刷層形成工程にて形成される印刷層が乾燥状態になる前に樹脂粉末を上記基材上に振り掛ける樹脂粉末振掛け工程と、この樹脂粉末振掛け工程にて振掛けられた上記基材上の印刷層外に存する上記樹脂粉末を除去する樹脂粉末除去工程と、上記印刷層に振掛けられた上記樹脂粉末を加熱することにより樹脂層を形成する樹脂層形成工程と、この樹脂層形成工程にて形成された樹脂層を冷却する冷却工程と、この冷却工程にて形成された樹脂層を含む上記基材一面に透明性を有する熱可塑性樹脂にてコーティングするコーティング工程とからなる印刷物の製造方法であって、上記印刷層及び上記樹脂層は透明性を有し上記基材は有色（黒及び白も含む）であること、または上記樹脂層は透明性を有し上記基材及び上記印刷層は有色（黒及び白も含む）であること、または上記印刷層は透明性を有し上記基材及び上記樹脂層は有色（黒及び白も含む）であるよう構成したことを特徴とする。
【００１６】
（７）  上記（６）の構成にあって、上記樹脂層は０．０１ｍｍ〜０．１ｍｍの厚みであるよう構成したことを特徴とする。
【００１７】
（８）  上記（６）または（７）の構成にあって、上記印刷層及び上記樹脂層の複層部の明度は上記基材の明度よりも低いよう構成したことを特徴とする。
【００１８】
（９）  上記（６）乃至（８）の構成にあって、上記印刷層の模様は皮革柄または印傳柄であるよう構成したことを特徴とする。
【００１９】
（１０）  上記（６）乃至（９）の構成にあって製造される印刷物であることを特徴とする。
【００２０】
（１１）  紙類またはこれと同等の素材からなる基材上にインクを用いて所定の模様の印刷層を形成する印刷層形成機構部と、この印刷層形成機構部にて形成される印刷層が乾燥状態になる前に樹脂粉末を上記基材上に振り掛ける樹脂粉末振掛け機構部と、この樹脂粉末振掛け機構部にて振掛けられた上記基材上の印刷層外に存する上記樹脂粉末を除去する樹脂粉末除去機構部と、上記印刷層に振掛けられた上記樹脂粉末を加熱することにより樹脂層を形成する樹脂層形成機構部と、この樹脂層形成機構部にて形成された樹脂層を冷却する冷却機構部とからなる印刷物製造装置であって、上記印刷層及び上記樹脂層は透明性を有し上記基材は有色（黒及び白も含む）であるようにし、または上記樹脂層は透明性を有し上記基材及び上記印刷層は有色（黒及び白も含む）であるようにし、または上記印刷層は透明性を有し上記基材及び上記樹脂層は有色（黒及び白も含む）であるよう構成したことを特徴とする。
【００２１】
（１２）  上記（１１）の構成にあって、上記冷却機構部にて形成された樹脂層を含む上記基材一面に透明性を有する熱可塑性樹脂にてコーティングするコーティング機構部を設けた構成としたことを特徴とする。
【００２２】
（１３）  上記（１１）または（１２）の構成にあって、上記樹脂層は０．０１ｍｍ〜０．１ｍｍの厚みであるよう構成したことを特徴とする。
【００２３】
（１４）  上記（１１）乃至（１３）の構成にあって、上記印刷層及び上記樹脂層の複層部の明度は上記基材の明度よりも低いよう構成したことを特徴とする。
【００２４】
（１５）  上記（１１）乃至（１４）の構成にあって、上記印刷層の模様は皮革柄または印傳柄であるよう構成したことを特徴とする。
【発明の効果】
【００２５】
本発明によれば、紙類またはこれと同等の素材からなる基材、印刷層及び樹脂層の色を特定の組合せとすることで特殊な工程や一定の技術を要することなく、紙類の印刷面があたかも皮革や印傳のように見える印刷物を容易に製造することができる。
また、本発明によれば、コスト面での優位性を確保でき実用的且つ経済的な印刷物を提供できる。
さらに、本発明は、取扱い性に優れて利用範囲の広い印刷物を提供できる。
【図面の簡単な説明】
【００２６】
【図１】本発明の一実施形態に係る製造装置を概念的に示す図である。
【図２】同実施形態に係り、製造工程の流れを示す図である。
【図３】同実施形態に係り、製造された印刷物の断面を模式的に示す図である。
【図４】本発明の他の実施形態に係る製造装置を示す概念的に示す図である。
【図５】同実施形態に係り、製造工程の流れを示す図である。
【図６】同実施形態に係り、製造された印刷物の断面を模式的に示す図である。
【発明を実施するための形態】
【００２７】
以下、本発明の一実施形態につき、図面を参照して説明する。
【００２８】
本実施形態に係る印刷物の製造方法に用いる印刷物製造装置１０は、図１に示す通り、印刷機構部１００、樹脂粉末撒布部１１０、樹脂粉末除去部１２０、加熱部１３０及び冷却部１４０とからなる。
【００２９】
印刷機構部１００は給紙部１０２、印刷部１０４及び排紙部１０６とを有し、印刷部１０４において紙類からなる基材３１０上に所定の模様からなる印刷層３２０が形成される。印刷層３２０が形成され排紙部１０６から排出された基材３１０は、樹脂粉末撒布部１１０に運ばれる。
【００３０】
樹脂粉末撒布部１１０は基材載置部１１２を有し、基材載置部１１２で基材３１０上に樹脂粉末が撒布される。樹脂粉末が散布された基材３１０は樹脂粉末除去部１２０に運ばれる。
【００３１】
樹脂粉末除去部１２０は樹脂粉末吸引部１２２と第一の搬送部１２４たる第一のベルトコンベア部とを有し、樹脂粉末吸引部１２２にて基材３１０の印刷層３２０上以外の部分にある余分な樹脂粉末が吸引除去される。第一のベルトコンベア部は加熱部１３０と接続しており、余分な樹脂粉末が吸引除去された基材３１０は第一のベルトコンベア部によって加熱部１３０に運ばれる。
【００３２】
加熱部１３０はヒータ部１３２と第二の搬送部１３４たる第二のベルトコンベア部とを有する。第二のベルトコンベア部はヒータ部１３２を通過して冷却部１４０に接続するよう設置されており、第二のベルトコンベア部上にある基材３１０はヒータ部１３２を通過することにより加熱され、これにより印刷層３２０に付着した樹脂粉末が溶解または発泡して樹脂層３３０が形成される。加熱された基材３１０は第二のベルトコンベア部によって冷却部１４０に運ばれる。
【００３３】
冷却部１４０はファン駆動により送風を発生させる送風部１４２と第三の搬送部１４４たる第三のベルトコンベア部とを有する。第三のベルトコンベア部は送風部１４２を通過するように設置されており、第三のベルトコンベア部上にある基材３１０は送風部１４２を通過することにより冷却され、これにより印刷層３２０上で溶解または発泡した樹脂粉末は当該印刷層３２０に固着し、本実施形態に係る印刷物３００が完成する。
【００３４】
上記構成において、その製造方法の流れを図２を参照して説明する。
図２に示す通り、印刷物３００の製造工程は、基材３１０に印刷層３２０を形成する印刷工程（ステップＳ２００）、基材３１０に樹脂粉末を撒布する樹脂粉末撒布工程（ステップＳ２０２）、基材３１０上の印刷層３２０以外の部分にある余分な樹脂粉末を除去する樹脂粉末除去工程（ステップＳ２０４）、余分な樹脂粉末を除去した基材３１０を加熱する加熱工程（ステップＳ２０６）、及び加熱した基材３１０を冷却する冷却工程（ステップＳ２０８）とからなる。
【００３５】
印刷工程（ステップＳ２００）においては、インクを用いて基材３１０上にオフセット印刷方式により所定の模様を印刷し、印刷層３２０を形成する。
【００３６】
基材３１０としては、紙類またはこれと同等の素材からなるもの（例えば対熱性の高い樹脂フィルム、プラスチック類、布類）等、インクにて模様を印刷することができるものであれば特に限定されない。これらの中でも、印刷及び印刷物の加工の簡易性から、特に紙類が好ましく用いられる。
【００３７】
印刷層３２０の形成には、透明または着色されたインクを用いる。透明なインクとしては、例えばニスやメジウム等を使用することができる。ここで本実施形態において、着色されたインクには黒色及び白色に着色されたインクも含まれる。なお、インクの種類及びインクを着色する着色剤の種類は特に限定されない。また用いるインクの色（透明を含む）は、基材３１０及び樹脂層３３０の色により定められる。
【００３８】
模様としては、例えば蛇柄若しくは鰐柄のような皮革柄、または印傳柄が特に好ましい。印傳柄としては、例えば小桜のような日本の花柄、青海波のような吉祥模様、菖蒲のような厄除け模様、花唐草のような唐草模様、とんぼのような伝統柄、葡萄のような近代柄が挙げられるが、これに限定されるものではない。
【００３９】
印刷層３２０をこれらの模様になるように形成した場合、あたかも蛇皮若しくは鰐皮といった皮革、または印傳（鹿の皮に漆にて模様を付したもの）のように見える印刷物３００を製造することができる。なお、本実施形態においては、皮革とは天然皮革及びその加工品（天然皮革をなめしたり、着色したり、型押し等の加工を施したもの）の両方を含む。
【００４０】
次に樹脂粉末撒布工程（ステップＳ２０２）においては、印刷工程（ステップＳ２００）にて印刷層３２０が形成された基材３１０上に樹脂粉末を撒布する。
【００４１】
樹脂粉末は、印刷層３２０に付着しやすいように印刷層３２０のインクが乾燥する前に基材３１０上に撒布することが好ましい。即ち、樹脂粉末が印刷層３２０に粘着する程度の乾き具合のときに撒布することが好ましい。
印刷層３２０のインクが乾燥するまでの時間はそのインクの種類によって異なるものの、印刷層３２０が形成されてから約１分以内に樹脂粉末を撒布することが好ましい。
【００４２】
樹脂粉末としては、例えば熱可塑性樹脂粉末または熱発泡性樹脂粉末が挙げられる。
樹脂粉末は、透明のもの若しくは着色されたもの、またはこれらを混合して用いることができる。また樹脂粉末の色（透明を含む）は、基材３１０及び印刷層３２０の色により定められる。
【００４３】
次に余分な樹脂粉末を除去する樹脂粉末除去工程（ステップＳ２０４）においては、基材３１０上の印刷層３２０以外の部分にある樹脂粉末を除去する。樹脂粉末を除去する方法としては、バキューム式の吸引装置を用いて吸引除去する他に、例えば柔らかい刷毛を用いて払い落とす方法が挙げられる。
【００４４】
次に加熱工程（ステップＳ２０６）においては、余分な樹脂粉末を除去した基材３１０を加熱する。好ましい加熱温度と加熱時間は、基材３１０や樹脂粉末の種類によって異なるが、約２００℃〜約７００℃下で約２秒〜約１０秒間である。
樹脂粉末は、この加熱工程（ステップＳ２０６）にて印刷層３２０上で溶解または発泡し、印刷層３２０上に隆起した樹脂層３３０が形成される。樹脂層３３０の表面は、細かい凸凹と光沢を有している。
【００４５】
次に冷却工程（ステップＳ２０８）においては、加熱した基材３１０を冷却することにより、樹脂層３３０を冷却及び印刷層３２０に固着させる。このような冷却方法としては、基材３１０表面に風を当てることにより冷却させる方法の他に、例えば加熱後の基材３１０を室温下で一定時間放置する方法が挙げられる。
【００４６】
このような工程を経て製造された印刷物３００は、基材３１０、インク及び樹脂粉末の色の組合せによって以下のような構成となる。
即ち、
（ａ）印刷層３２０及び樹脂層３３０は透明であって基材３１０は有色（黒及び白を含む）である、
（ｂ）樹脂層３３０は透明であって基材３１０及び印刷層３２０は有色（黒及び白を含む）である、または
（ｃ）印刷層３２０は透明であって基材３１０及び樹脂層３３０は有色（黒及び白も含む）である。
【００４７】
上記（ｂ）及び（ｃ）の場合において、基材３１０及び印刷層３２０または基材３１０及び樹脂層３３０は同色であっても異色であってもかまわない。
【００４８】
また、印刷層３２０及び樹脂層３３０は透明であって基材３１０は有色（黒及び白も含む）である場合、基材３１０、印刷層３２０及び樹脂層３３０の複層部の明度は基材３１０の明度よりも低いことが好ましい。このような構成により、特に印刷層３１０の模様を皮革柄とした場合、その色合い及び光沢から印刷物３００をさらに皮革のように見せることができる。
【００４９】
さらには、樹脂層３３０の厚みは０．０１ｍｍ〜０．１ｍｍであることが好ましい。さらに好ましい樹脂層３３０の厚みは、０．０１ｍｍ〜０．０５ｍｍである。このような構成とすることにより、皮革のような自然な隆起、またはあたかも漆によって模様を印刷したように見せることができる。
【００５０】
本実施形態の印刷物の製造方法によって製造された印刷物３００は、図３に示す通り、基材３１０と、印刷層３２０と、樹脂層３３０とからなる。印刷層３２０は基材３１０上に所定の模様となるよう印刷されており、樹脂層３３０は、印刷層３２０上に形成されている。このような印刷物は、例えばブックカバー、手帳カバー、しおり、ファイル、名刺入れ、タブレット型携帯端末機器、スマートフォン等に容易に加工することができる。またこれらの印刷物を粘着フィルムに貼り合わせたり、シールフィルム上に印刷したりすることにより、シールとして活用することもできる。即ち、本実施形態によれば、取扱い性に優れて利用範囲の広い印刷物３００を提供できるという優れた効果を奏するものである。しかもコスト面での優位性を確保でき実用的且つ経済的な印刷物３００を提供できるものである。
【実施例１】
【００５１】
以下本発明の一実施例を詳述する。
印刷物製造装置１０としてオフセット印刷機を用い、赤色の上質紙（基材３１０）上に透明のメジウムにて鰐柄の模様を印刷して印刷層を形成する。具体的には、印刷面からみると、印刷層３２０が鰐皮の隆起部分の模様となるように印刷する。
【００５２】
次に、鰐柄模様の印刷層３２０が形成された上質紙は、オフセット印刷機から排紙されてから約２０秒以内に透明の熱可塑性樹脂粉末が敷き詰められた容器に入れられる。そして、この容器内にて、熱可塑性樹脂粉末が上質紙上に振り掛けられる。この際、印刷層３２０の全てに熱可塑性樹脂粉末が付着するように振り掛けられることが好ましい。
【００５３】
その後、樹脂粉末吸引部１２２たる吸引装置を用い、印刷層３２０上以外にある熱可塑性樹脂粉末を吸引除去する。余分な熱可塑性樹脂粉末が除去された上質紙はベルトコンベアに乗せられ、加熱部１３０たる加熱装置へ運ばれる。なお、当該ベルトコンベアは、吸引装置、加熱装置及び冷却装置と接続しており、ベルトコンベアに乗せられた上質紙は吸引装置から冷却装置まで連続して運ばれる。
【００５４】
上質紙は、前記ベルトコンベアによって加熱装置に備えられたヒータ部１３２下方を通過する。ヒータ部１３２の温度は約２００℃〜約７００℃に調整されており、上質紙がヒータ部１３２を通過する時間は約２秒〜約１０秒である。ヒータ部１３２を通過した上質紙は加熱され、印刷層３２０上に付着した熱可塑性樹脂粉末はこの熱により膨張溶解する。そして加熱された上質紙は、前記ベルトコンベアにより冷却部１４０たる冷却装置へ運ばれる。
【００５５】
上質紙は、前記ベルトコンベアによって冷却装置に備えられた送風部１４２を通過する。送風部１４２から送られる風の温度は室温以下であることが好ましい。送風部１４２を通過した上質紙は冷却され、加熱装置によって膨張溶解した熱可塑性樹脂が印刷層３２０上にて固着する。これにより印刷層３２０上にその厚さが約０．１５ｍｍの樹脂層が固着され、本実施例に係る印刷物３００が完成する。
【００５６】
本実施例により製造された印刷物３００は、樹脂層３３０の凸凹及び光沢、並びに上質紙、印刷層３２０及び樹脂層３３０の複層部の色合いから、その樹脂層３３０が鰐皮の隆起部分のように見え、これにより、その印刷面はあたかも赤色に着色された鰐皮加工品のように見える。
【実施例２】
【００５７】
黒色の上質紙上に黒色のインクにて七宝柄の模様を印刷した以外は実施例１と同じ条件にて印刷物３００を製造した。
本実施例により製造された印刷物３００は、上質紙、印刷層３２０及び樹脂層３３０の複層部の明度が前記上質紙の明度よりも高く、また樹脂層３３０の凸凹及び光沢から、その樹脂層３３０が印傳の漆による模様のように見え、その印刷面はあたかも黒色の漆で模様を施された印傳のように見える。
【００５８】
続いて本発明の他の実施形態について、図４乃至図６を参照して以下に説明する。
【００５９】
本実施形態に係る印刷物の製造方法に用いる印刷物製造装置４００は、図４に示す通り印刷機構部４１０、樹脂粉末撒布部４２０、樹脂粉末除去部４３０、加熱部４４０、冷却部４５０及びコーティング部４６０とから構成される。
【００６０】
印刷機構部４１０は給紙部４１２、印刷部４１４及び排紙部４１６を内設し、紙類からなる基材５１０上に所定の模様からなる印刷層５２０を形成する機能を有するものである。即ち印刷機構部４１０は、給紙部４１２から供給されてくる基材５１０の上面部位に印刷部４１４が所定の模様からなる印刷層５２０を形成し、この印刷層５２０が形成された基材５１０は排紙部４１６から樹脂粉末撒布部４２０に送出されるよう構成されている。
【００６１】
樹脂粉末撒布部４２０は、印刷層５２０が形成された基材５１０上に樹脂粉末を振掛ける機構、即ち樹脂粉末を撒布する基材載置部４２２を内設する。また、樹脂粉末撒布部４２０は、基材載置部４２２にて樹脂粉末が散布された基材５１０を樹脂粉末除去部４３０に送出するよう機能構成されている。
【００６２】
樹脂粉末除去部４３０は、出来上がった印刷物５００に於いて不要となる粉末樹脂を除去するためのバキューム式の樹脂粉末吸引部４３２及びベルトコンベア機構からなる第一の搬送機構部４３４を内設する。而して樹脂粉末吸引部４３２は、基材５１０に形成された印刷層５２０の表面部位を除いた部位に存する樹脂粉末を吸引することにより不要な樹脂粉末を除去する機能を有する。第一の搬送機構部４３４は、樹脂粉末吸引部４３２にて不要な樹脂粉末が除去された基材５１０を加熱部４４０に送出するよう機能構成されている。
【００６３】
加熱部４４０は、ヒータ部４４２及びベルトコンベア機構からなる第二の搬送機構部４４４を内設する。ヒータ部４４２は、印刷層５２０に付着した樹脂粉末が溶解或いは発泡して樹脂層を形成するよう加熱するためのものである。即ち、第一の搬送機構部４３４から送出されてくる基材５１０を第二の搬送機構部４４４が受け入れ、第二の搬送部４４４のベルトコンベア上に載置搬送される基材５１０がヒータ部４４２を通過することにより加熱され、これにより印刷層５２０に付着した樹脂粉末が溶解或いは発泡して樹脂層５３０が形成されるよう機能構成されている。そして、ヒータ部４４２を通過した基材５１０は、第二の搬送機構部４４４により冷却部４５０へ送出されるよう構成されている。
【００６４】
冷却部４５０は、ファン駆動により送風を発生させる送風部４５２及びベルトコンベア機構からなる第三の搬送機構部４５４を内設する。この第三の搬送機構部４５４は、送風部４５２を通過するように構成されている。即ち、ベルトコンベア上の基材５１０が送風部４５２を通過することにより基材５１０が送風により冷却され、印刷層５２０上で溶解或いは発泡した樹脂粉末が印刷層５２０に固着するよう機能構成されている。固着した印刷層５２０を有する基材５１０は、印刷物５００としてコーティング部４６０に第三の搬送機構部４５４を介して送出されるよう構成されている。
【００６５】
コーティング部４６０は、第三の搬送機構部４５４から送出されてくる印刷物５００の一表面に対し、即ち基材５１０で印刷層が形成されない側の面に対し、透明性を有する熱可塑性樹脂であるポリプロピレン（ＰＰ）にてコーディング層６００を形成するコーティング機能を有する。このＰＰによる表面コーティングは均一に約０．０２ｍｍの厚さとなるよう処理が施されるが、コーディング層６００の厚さはこれに限定される訳ではなく、適宜変更してよいことは勿論である。
【００６６】
上記構成につき、その作用を説明する。
本製造装置４００では、印刷機構部４１０にて基材５１０に印刷層５２０を形成する印刷工程（ステップＳ５０２）、樹脂粉末撒布部４２０にて基材５１０に樹脂粉末を撒布する樹脂粉末撒布工程（ステップＳ５０４）、樹脂粉末除去部４３０にて基材５１０上の印刷層５２０外に存する余分な樹脂粉末を除去する樹脂粉末除去工程（ステップＳ５０６）、加熱部４４０にて余分な樹脂粉末を除去した基材５１０を加熱する加熱工程（ステップＳ５０８）、冷却部４５０にて加熱した基材５１０を冷却する冷却工程（ステップＳ５１０）及び樹脂粉末が固着し印刷物５００となったものに対しコーティング部４６０にてコーティング処理を施すコーティング工程（ステップＳ５１２）を順に実行することによりコーティングされた印刷物５００を製造することになる。
【００６７】
より具体的には、先ず印刷工程（ステップＳ５０２）では、印刷機構部４１０にてインクを用いて基材５１０上に予め定められた所望の模様をオフセット印刷方式により印刷し、印刷層５２０を形成することになる。
【００６８】
基材５１０としては、紙類またはこれと同等の素材からなるもの（例えば対熱性の高い樹脂フィルム、プラスチック類、布類）等、インクにて模様を印刷可能となるものであれば特に限定されない。これらの中でも印刷及び印刷物の加工の簡易性から、特に紙類が好ましく用いられる。
【００６９】
印刷層５１０の形成には、透明または着色されたインクを用いる。透明なインクとしては、例えばニスやメジウム等を使用することができる。なお、着色されたインクには黒色及び白色に着色されたインクも含まれる。また、インクの種類及びインクを着色する着色剤の種類は特に限定されず、染料、顔料を問わず印刷用着色料であればよい。さらに用いるインクの色（透明を含む）は、基材５１０及び樹脂層５３０の色により定められる。
【００７０】
模様としては、例えば蛇柄若しくは鰐柄のような皮革柄、或いは印傳柄が特に好ましい。印傳柄としては、例えば小桜のような日本の花柄、青海波のような吉祥模様、菖蒲のような厄除け模様、花唐草のような唐草模様、とんぼのような伝統柄、葡萄のような近代柄が挙げられるが、これ等に限定されるものではない。
【００７１】
印刷層５２０をこれ等の模様になるように形成した場合、あたかも蛇皮若しくは鰐皮といった皮革、または印傳（鹿の皮に漆にて模様を付したもの）のように見える印刷物５００を製造することができる。本実施形態では、皮革とは天然皮革及びその加工品（天然皮革をなめしたり、着色したり、型押し等の加工を施したもの）の両方を含む。
【００７２】
次に、樹脂粉末撒布部４２０にて実行される樹脂粉末撒布工程（ステップＳ５０４）では、印刷工程（ステップＳ５０２）にて印刷層５２０が形成された基材５１０上に樹脂粉末を撒布する。
【００７３】
樹脂粉末は、印刷層５２０に付着し易いように印刷層５２０のインクが乾燥する前に基材５１０上に撒布することが好ましい。即ち、樹脂粉末が印刷層５２０に粘着する程度の乾き具合のときに撒布することが好ましい。
印刷層５２０のインクが乾燥するまでの時間はそのインクの種類によって異なるものの、印刷層５２０が形成されてからおおよそ１分以内に樹脂粉末を撒布することが好ましい。
【００７４】
樹脂粉末としては、例えば熱可塑性樹脂粉末または熱発泡性樹脂粉末が挙げられる。樹脂粉末は、透明のもの若しくは着色されたもの、またはこれらを混合して用いることが可能である。また樹脂粉末の色（透明を含む）は、基材５１０及び印刷層５２０の色により定められる。
【００７５】
続いて樹脂粉末除去部４３０による樹脂粉末除去工程（ステップＳ５０６）では、基材５１０上の印刷層５２０外の部位に存在する樹脂粉末を除去する。樹脂粉末を除去する方法としては吸引装置を用いて吸引除去する他に、例えば柔らかい刷毛を用いて払い落とす方法が挙げられる。
【００７６】
そして、加熱部４４０による加熱工程（ステップＳ５０８）では、余分な樹脂粉末を除去した基材５１０を加熱する。好ましい加熱温度と加熱時間は、基材５１０や樹脂粉末の種類によって異なるが、約２００℃〜約７００℃下で約２秒〜約１０秒間である。
この加熱工程（ステップＳ５０８）にて、樹脂粉末は印刷層５２０上で溶解或いは発泡し、印刷層５２０上に隆起した樹脂層５３０が形成される。而して樹脂層５３０の表面は、細かい凸凹と光沢を有することになる。
【００７７】
続く冷却部４５０による冷却工程（ステップＳ５１０）では、加熱した基材５１０を冷却することにより、樹脂層５３０を冷却して印刷層５２０に固着させることになる。このような冷却方法としては、基材５１０の表面にファンによる風を当てることにより冷却させる方法の他に、例えば加熱後の基材５１０を室温下で一定時間放置する方法が挙げられる。
【００７８】
このような工程を経て製造された印刷物５００は、基材５１０、インク及び樹脂粉末の色の組合せによって以下のような構成となる。
即ち、
（ａ）印刷層５２０及び樹脂層５３０は透明であって基材５１０は有色（黒及び白を含む）である。
（ｂ）樹脂層５３０は透明であって基材５１０及び印刷層５２０は有色（黒及び白を含む）である。或いは、
（ｃ）印刷層５２０は透明であって基材５１０及び樹脂層５３０は有色（黒及び白も含む）である。
【００７９】
上記（ｂ）及び（ｃ）の場合は、基材５１０及び印刷層５２０または基材５１０及び樹脂層５３０は同色であっても異色であっても構わない。
【００８０】
また、印刷層５２０及び樹脂層５３０は透明であって基材５１０は有色（黒及び白も含む）である場合、基材５１０、印刷層５２０及び樹脂層５３０の複層部の明度は基材５１０の明度よりも低いことが好ましい。このような構成により、特に印刷層５２０の模様を皮革柄とした場合、その色合い及び光沢から印刷物５００をより皮革のように見せることが可能となる。
【００８１】
さらには、樹脂層５３０の厚みは０．０１ｍｍ〜０．１ｍｍであることが好ましい。さらに好ましい樹脂層５３０の厚みは、０．０１ｍｍ〜０．０５ｍｍである。このような構成とすることにより、皮革のような自然な隆起を呈し、あたかも漆によって模様を印刷したように見せることが可能となる。
【００８２】
最終工程となるコーティング部４６０によるコーティング工程（ステップＳ５１２）では、冷却工程（ステップＳ５１０）後に印刷物５００となった裏面に対し、均一に約０．０２ｍｍの厚さとなるようＰＰにてコーディング層６００を形成する処理が施される。このＰＰのコーティング方法は、マットタイプのラミネータを用いるが、これに限定される訳ではない。
【００８３】
上記実施形態によって製造されたコーティング処理を施した印刷物５００は、図６に示す通り、基材５１０、印刷層５２０、樹脂層５３０及びコーティング層６００とからなる。印刷層５２０は基材５１０上に所定の模様となるよう印刷されており、樹脂層５３０は、印刷層５２０上に形成されている。このような印刷物５００は、例えばブックカバー、手帳カバー、しおり、ファイル、名刺入れ、タブレット型携帯端末機器、スマートフォン等に容易に加工することができる。またこれらの印刷物５００を粘着フィルムに貼り合わせたり、シールフィルム上に印刷したりすることにより、シールとして活用することもできる。即ち、上記実施形態によれば、取扱い性に優れて利用範囲の広い印刷物５００を提供できるという優れた効果を奏するものである。しかも、コスト面での優位性を確保でき実用的且つ経済的な印刷物５００を提供できる。
【００８４】
本実施形態を詳述すると、印刷物製造装置４００として例えばオフセット印刷機を用い、基材５１０としての赤色の上質紙上に透明のメジウムにて鰐柄の模様を印刷して印刷層５２０を形成する場合、印刷面からみると、印刷層５２０が鰐皮の隆起部分の模様となるように印刷する。
【００８５】
次に、鰐柄模様の印刷層５２０が形成された上質紙（基材５１０）は、オフセット印刷機から排紙されてから約２０秒以内に透明の熱可塑性樹脂粉末が敷き詰められた樹脂粉末撒布部４２０内の容器に搬入される。そして、この容器内にて、当該熱可塑性樹脂粉末が上質紙上に振り掛けられる。この際、印刷層５２０の全てに熱可塑性樹脂粉末が付着するように振り掛けられることが好ましい。
【００８６】
その後、樹脂粉末除去部４３０たる吸引装置を用い、印刷層５２０の表面部以外に存する熱可塑性樹脂粉末を吸引除去する。余分な熱可塑性樹脂粉末が除去された上質紙は第一の搬送機構部４３４のベルトコンベアに搬送されて、加熱部４４０たる加熱装置へ搬送される。なお、ベルトコンベアは一台の搬送装置として、吸引装置、加熱装置及び冷却装置を通過するよう接続してもよく、この場合ベルトコンベアに載せられた上質紙は吸引装置から冷却装置まで連続して搬送されることになる。
【００８７】
さらに上質紙は、ベルトコンベアによって加熱部４４０に備えられたヒータ部４４２下方を通過する。ヒータ部４４２の温度は約２００℃〜約７００℃に調整されており、上質紙がヒータ部４４２を通過する時間は約２秒〜約１０秒である。ヒータ部４４２を通過した上質紙は加熱され、印刷層５２０上に付着した熱可塑性樹脂粉末はこの熱により膨張溶解する。そして加熱された上質紙は、ベルトコンベアにより冷却部４５０たる冷却装置へ搬送される。
【００８８】
上質紙は、ベルトコンベアによって冷却部４５０に備えられた送風部４５２を通過する。送風部４５２から送出される風の温度は室温以下であることが好ましい。送風部４５２を通過した上質紙は冷却され、加熱部４４０によって膨張溶解した熱可塑性樹脂が印刷層５２０上にて固着する。これにより印刷層５２０上にその厚さが約０．１５ｍｍの樹脂層が固着され、印刷物５００が完成する。
【００８９】
上述のようにして製造された印刷物５００は、樹脂層５３０の凸凹及び光沢、並びに上質紙、印刷層５２０及び樹脂層５３０の複層部の色合いから、その樹脂層５３０が鰐皮の隆起部分のように見え、これにより、その印刷面はあたかも赤色に着色された鰐皮加工品のように見える。
而して印刷物５００の裏面に対し、コーティング部４６０により、均一に約０．０２ｍｍの厚さとなるようＰＰにてコーディング層６００を形成する処理が施される。
【００９０】
上記同様に、黒色の上質紙上に黒色のインクにて七宝柄の模様を印刷することも可能である。この場合、製造された印刷物は、上質紙、印刷層及び樹脂層の複層部の明度が上質紙の明度よりも高く、また樹脂層の凸凹及び光沢から、その樹脂層が印傳の漆による模様のように見え、その印刷面はあたかも黒色の漆で模様を施された印傳のように見える。
【００９１】
上記実施形態によれば、特殊な紙類や基材を用いることなく、隆起印刷を利用して紙類からなる基材５１０と印刷層５２０と樹脂層５３０との色を特定の組合せとすることで、印刷面が例えばあたかも皮革や印傳のように摸した印刷物を容易に製造することが可能となった。しかも、原材料や製造の手間暇を抑えることもでき、コスト面での優位性を確保でき経済的な効果も奏する。加えて、上記実施形態によれば、取扱い性に優れて利用範囲の広い印刷物を提供できるという優れた効果を奏するものである。
また、熱可塑性樹脂のコーティングにより、印刷物５００の強度や耐水性、撥水性も増すとともに汚れ難くもなり、耐久性に優れるという実用的な優れた効果をも奏するものである。
さらに、コーティングは印刷物の裏面だけではなく、印刷層が形成された表面側にコーティング処理を施してもよい。
【００９２】
なお、本発明は上記実施形態に限定されることなく、本発明の趣旨を逸脱しない限り種々の変形が可能なことは勿論である。
【符号の説明】
【００９３】
１０，４００    …印刷物製造装置
１００，４１０  …印刷機構部
１１０，４２０  …樹脂粉末撒布部
１２０．４３０  …樹脂粉末除去部
１３０，４４０  …加熱部
１４０，４５０  …冷却部
３００，５００  …印刷物
３１０，５１０  …基材
３２０，５２０  …印刷層
３３０，５３０  …樹脂層
４６０          …コーティング部
６００          …コーティング層
【図１】
0005885273.tif 000002
【図２】
0005885273.tif 000003
【図３】
0005885273.tif 000004
【図４】
0005885273.tif 000005
【図５】
0005885273.tif 000006
【図６】
0005885273.tif 000007